(57)【要約】【課題】熱交換器に水を噴霧して消費電力削減を図る装置において、多数の室外機がある場合でも必要な個所への噴霧ノズルの配設が簡素な構成で行えるようにしてコストの低減を図る。【解決手段】水を供給するとともに水の供給状態を制御する給水制御部１２から供給された水を空気調和機における室外機７１の熱交換器面７２に向けて噴霧する空気調和機の節電装置１１において、給水制御部１２を室外機７１とは別の位置に設け、給水制御部１２から供給される水を室外機７１に導く導水管１４を設ける。この導水管１４は、室外機の近傍の構造物や室外機に対して導水管支持具で支持されて、前記室外機の熱交換器面に沿って延設される。噴霧ノズル１３は、導水管１４における室外機７１の熱交換器面７２に対応する部位に備えられる。【選択図】図１
2014031926.tif 000002
【特許請求の範囲】
【請求項１】
水を供給するとともに水の供給状態を制御する給水制御部から供給された水を空気調和機における室外機の熱交換器面に向けて噴霧する空気調和機の節電装置であって、
前記給水制御部が前記室外機とは別の位置に設けられて、前記給水制御部から供給される水を前記室外機に導く導水管が設けられるとともに、
該導水管が前記室外機の近傍の構造物及び／又は前記室外機に対して導水管を支持する導水管支持具で支持されて、前記室外機の熱交換器面に沿って延設され、
該導水管における前記室外機の熱交換器面に対応する部位に、前記噴霧を行う噴霧ノズルが設けられた
空気調和機の節電装置。
【請求項２】
前記給水制御部が、水をためる貯水槽と、該貯水槽内の水をくみ出すポンプと、該ポンプの駆動によってくみ出される水の流路を開閉する電磁弁と、これらポンプと電磁弁を駆動制御する制御部を備えた
請求項１に記載の空気調和機の節電装置。
【請求項３】
前記導水管が複数に枝分かれして複数の室外機に向けて延びるものである
請求項１または請求項２に記載の空気調和機の節電装置。
【請求項４】
前記導水管が、少なくとも真っ直ぐに延びる直管と、該直管を接続する継手と、前記直管の端末を閉塞するエンドキャップで構成され、
前記噴霧ノズルが、前記継手及び／又は直管の一端に設けられた
請求項１から請求項３のうちのいずれか一項に記載の空気調和機の節電装置。
【請求項５】
前記導水管支持具が、前記室外機の近傍の構造物又は前記室外機に対して、少なくとも上下又は前後の位置を調節可能にする位置調節手段を有するものである
請求項１から請求項４のうちのいずれか一項に記載の空気調和機の節電装置。
【請求項６】
前記給水制御部の一部を構成して水を送り出すポンプの後段に、ポンプから送り出された水の一部をポンプの前段に還流させるバイパス管を備えた
請求項１から請求項５のうちのいずれか一項に記載の空気調和機の節電装置。
【発明の詳細な説明】
【技術分野】
【０００１】
この発明は、空気調和機の冷房運転が効率よく行えるようにして節電を図るための装置に関し、より詳しくは、ビルの空調など、多くの室外機を有する場合でも安価に節電が行えるような空気調和機の節電装置に関する。
【背景技術】
【０００２】
冷房運転時において空気調和機の電力消費を抑制するために、室外機の熱交換器に対して水を霧状に噴霧して熱交換器の熱を気化熱によって奪うという技術は、例えば下記特許文献１などによって知られている。
【０００３】
特許文献１の装置は、水道管から供給された水を、電磁弁を介して導水管に導き、導水管の先端の噴霧ノズルから室外機の熱交換器に向けて噴霧して熱交換器に水を接触させるというもので、前記電磁弁は、室外機の上面に固定される箱体に収納されている。
【０００４】
ところが、室外機には、熱交換器に通気を促す面、つまり熱交換器面が筐体の一つの面にあるもののほか、二面、三面と複数の面に存在するものもある（例えば下記特許文献２、３参照）。この場合に、噴霧ノズルの配置を一つの面に対してのみ行ったのでは、冷却効果が少ない。また噴霧ノズルをすべての熱交換器面に配設しようとすると、配管が複雑になる。室外機によって熱交換器面の数や向きが異なるので、形態の異なる多くの室外機を有する場合には配管の態様も多様で、配管がさらに複雑になり、施工性もよくない。
【０００５】
さらに、特許文献２、３の装置においても、室外機ごとに箱状の本体が備えられ、この本体の中に電磁バルブ（給水バルブ）と、これを制御する制御ユニットが収納されている。このため、例えばビルの空調のように、多数の室外機を備える場合には、部品点数が多く、配管や制御も複雑であるという難点がある。
【先行技術文献】
【特許文献】
【０００６】
【特許文献１】特開２０００−２８２３０号公報
【特許文献２】特開２００６−１０１５０号公報
【特許文献３】特開２００７−２４０１０７号公報
【発明の概要】
【発明が解決しようとする課題】
【０００７】
そこで、この発明は、多くの室外機を有する場合でも簡素な構成で必要な個所に噴霧ノズルの配設が行え、コストを抑えることができるようにすることを主な目的とする。
【課題を解決するための手段】
【０００８】
そのための手段は、水を供給するとともに水の供給状態を制御する給水制御部から供給された水を空気調和機における室外機の熱交換器面に向けて噴霧する空気調和機の節電装置であって、前記給水制御部が前記室外機とは別の位置に設けられて、前記給水制御部から供給される水を前記室外機に導く導水管が設けられるとともに、該導水管が前記室外機の近傍の構造物及び／又は前記室外機に対して導水管を支持する導水管支持具で支持されて、前記室外機の熱交換器面に沿って延設され、該導水管における前記室外機の熱交換器面に対応する部位に、前記噴霧を行う噴霧ノズルが設けられた空気調和機の節電装置である。
【０００９】
この構成では、給水制御部から供給された水は、導水管によって室外機の熱交換器面に導かれ、熱交換器面に沿って設けられた導水管の噴霧ノズルから噴霧される。噴霧された微細なミストの気化によって、噴霧された部位近傍の雰囲気と熱交換器は冷却される。導水管は、室外機の近傍の新設又は既設の適宜の横架材等の構造物や、室外機に対して導水管支持具で支持されるので、室外機の存在する適宜の位置に延設することができる。また、給水制御部は室外機とは別の位置に設けられているので、室外機の上面に固定できない場合や室外機が込み入って存在している場合でも、容易に設置することができる。
【００１０】
この発明の態様として、前記給水制御部が、水をためる貯水槽と、該貯水槽内の水をくみ出すポンプと、該ポンプの駆動によってくみ出される水の流路を開閉する電磁弁と、これらポンプと電磁弁を駆動制御する制御部を備えた空気調和機の節電装置とすることができる。
【００１１】
この構成では、貯水槽にたまった水はポンプによってくみ出され、電磁弁の開閉で噴霧ノズルからの噴霧のオンオフ切り替えがなされる。噴霧ノズルとして低圧で噴霧可能なものを用いれば、加圧ポンプなしで噴霧が可能である。
【００１２】
この発明の態様として、前記導水管が複数に枝分かれして複数の室外機に向けて延びるものである空気調和機の節電装置であってもよい。
【００１３】
この構成では、室外機の配置に対応して導水管を延ばすことができるので、既設の室外機に対しても適用できる。
【００１４】
この発明の態様として、前記導水管が、少なくとも真っ直ぐに延びる直管と、該直管を接続する継手と、前記直管の端末を閉塞するエンドキャップで構成され、前記噴霧ノズルが、前記継手及び／又は直管の一端に設けられた
空気調和機の節電装置とすることができる。
【００１５】
この構成では、各部材の組み合わせ次第で現場に応じて自由に配管ができるとともに、噴霧ノズルが継手や直管の一端に設けられるので、噴霧ノズルの固定が簡単である。
【００１６】
この発明の態様として、前記導水管支持具が、前記室外機の近傍の構造物又は前記室外機に対して、少なくとも上下又は前後の位置を調節可能にする位置調節手段を有するものであるとよい。
【００１７】
この構成では、位置調節手段によって導水管の位置、つまり噴霧ノズルの位置を適切に設定することができる。
【００１８】
この発明の態様として、前記給水制御部の一部を構成して水を送り出すポンプの後段に、ポンプから送り出された水の一部をポンプの前段に還流させるバイパス管を備えるとよい。
【００１９】
この構成では、ポンプから送り出された水は、噴霧ノズルのほうに送られる一方、還流されて再びポンプに戻る。このため、噴霧ノズルに必要な水量が少なくてもポンプが送り出す流量を確保し、圧力を調節できる。通常、噴霧ノズルからの吐出量を少なくするために弁だけで調節すると、ポンプが吐出する水量が少なくなってポンプが故障するおそれがあるが、前記のように流量を確保できるのでこのような事態を生じることはない。したがって、特殊な高圧ポンプでなはく、廉価な汎用ポンプを使用できる。
【発明の効果】
【００２０】
この発明によれば、室外機とは別の位置に設けられた給水制御部から延設された導水管が室外機の熱交換器面に沿って設けられ、この導水管に噴霧ノズルが設けられているので、多くの室外機に対しても簡素な構成で必要な個所に噴霧ノズルの配設が行える。このため、電力消費を抑制することが簡単な施工で廉価に実現でき、節電によるコスト削減という利点を十分に享受できる。
【図面の簡単な説明】
【００２１】
【図１】空気調和機の節電装置の全体構造を示す概略構成図。
【図２】作用状態の説明図。
【図３】導水管を構成する部材の分解斜視図。
【図４】導水管と導水管支持具の断面図。
【図５】導水管と導水管支持具の断面図。
【図６】噴霧ノズルの取り付け例を示す断面図。
【図７】噴霧ノズルの取り付け例を示す断面図。
【図８】噴霧ノズルの取り付け例を示す断面図。
【図９】噴霧ノズルの取り付け例を示す断面図。
【発明を実施するための形態】
【００２２】
この発明を実施するための一形態を、以下図面を用いて説明する。  
図１は、空気調和機の節電装置１１（以下、「節電装置」という）の全体構成を示す概略構成図であり、この図に示すように節電装置１１は、水を供給するとともに水の供給状態を制御する給水制御部１２から供給された水を、図２に示したように、空気調和機における室外機７１の熱交換器面７２に向けて微細なミストとして噴霧ノズル１３から噴霧するものである。熱交換器面７２とは、室外機７１に内蔵された熱交換器に対して通気を可能とする面である。
【００２３】
図２（ａ）は熱交換器面７２を一つの面に有した室外機７１の例、図２（ｂ）は熱交換器面７２を二つの面に有した室外機７１の例である。そのほか、三面、四面に熱交換器面７２を有する室外機７１に対しても、すべての熱交換器面７２の近傍に噴霧ノズル１３は備えられる。
【００２４】
前記給水制御部１２には、給水制御部１２から供給される水を前記室外機７１に導く導水管１４が接続されている。
【００２５】
この節電装置１１は、１個の室外機７１に対して使用することもできるが、特にビルの屋上等に多数設置される室外機７１に対して使用するのに適している。室外機７１は、新設されるものでも、既設のものでもよい。
【００２６】
前記給水制御部１２は、前記のように水を供給し、この水の供給状態、つまり給水量、給水圧、給水のオンオフ切り替えを制御するものであればよいが、具体的には、水をためる貯水槽２１と、この貯水槽２１内の水をくみ出すポンプ２２と、このポンプ２２でくみ出された水を改質する水処理装置２３と、前記ポンプ２２の駆動によってくみ出される水の流路を開閉する電磁弁２４と、給水制御部１２から送出される水の圧力を計測する圧力センサ２５と、室外機７１を設置している場所の降雨の有無を検知する降雨センサ２６と、前記ポンプ２２と電磁弁２４を駆動制御する制御部２７を備えている。
【００２７】
前記貯水槽２１は、節電装置１１の運転に必要な適宜量の水を貯留可能な大きさであり、内部にボールタップ２１ａを備えている。つまり、貯水槽２１に給水する入水路２８からの水は、ボールタップ２１ａが下がった時に供給され、所定の水位となってボールタップ２１ａが上がった時に水の供給は停止される。入水路２８には、メータ２８ａと、このメータ２８ａを挟む位置に配設された２個の仕切弁２８ｂ，２８ｃを有している。
【００２８】
貯水槽２１より下流側の経路は、貯水槽２１内の水が送り出される出水路２９である。
【００２９】
前記ポンプ２２には、適宜の汎用ポンプが用いられる。出水路２９におけるポンプ２２と貯水槽２１との間には、貯水槽２１側から順に、仕切弁２９ａと逆止弁２９ｂが配設されている。
【００３０】
また、この仕切弁２９ａよりも貯水槽２１側には、排水路２９ｃが接続されている。排水路２９ｃには開閉を行う仕切弁２９ｄが設けられる。
【００３１】
出水路２９におけるポンプ２２と水処理装置２３との間には、ポンプ２２側から順に逆止弁２９ｅと、２個の仕切弁２９ｆ，２９ｇが配設されるとともに、ポンプ２２の後段である前記２個の仕切弁２９ｆ，２９ｇの間とポンプ２２の前段とを結ぶバイパス管２９ｈが備えられている。
【００３２】
このバイパス管２９ｈは、ポンプ２２から送り出された水の一部をポンプ２２の前段に還流させるためのものである。このバイパス管２９ｈを流れる水の量は、バイパス管２９ｈに設けられた仕切弁２９ｉと、前記２個の仕切弁２９ｆ，２９ｇのうちの後段の仕切弁２９ｇの開度の調節で適宜設定される。
【００３３】
前記水処理装置２３は、水に溶けているカルシウム分やマグネシウム分など、スケールの原因となる物質を除去するためのもので、例えば周知の軟水器で構成される。軟水器のほか、例えばカルシウムフィルタや活水器等を用いることもできる。水処理装置２３の設置位置は、ポンプ２２よりも後段のほか、ポンプ２２よりも前段の位置や、貯水槽２１内などであってもよい。水処理装置２３と電磁弁２４との間には、水処理装置２３のメンテナンス用の仕切弁２３ａが備えられている。
【００３４】
前記電磁弁２４は、前記噴霧ノズル１３からの噴霧のオンオフ切り替えをするためのものである。
【００３５】
出水路２９における電磁弁２４の後段には、逆止弁２９ｊと、周知の適宜センサで構成される前記圧力センサ２５が順に配設されている。
【００３６】
前記降雨センサ２６は、周知の適宜のセンサで構成される。
【００３７】
これら降雨センサ２６及び圧力センサ２５と、前記ポンプ２２及び電磁弁２４は、前記制御部２７に接続されている。
【００３８】
前記制御部２７は、マイクロコンピュータなどで構成されるとともに、例えばタイマなどの必要な適宜手段（図示せず）を有し、図示しない電源と空気調和機の制御部が接続されている。そして、図示しない操作パネルからの入力に従って、予め記憶させたプログラムと前記降雨センサ２６、圧力センサ２５及び空気調和機の制御部からの入力信号に基づいて前記ポンプ２２と電磁弁２４を駆動制御する。
【００３９】
制御部２７の制御動作は、前記降雨センサ２６が降雨を検知せず、前記空気調和機の制御部から駆動信号が入力されている場合に、間欠噴霧するように設定される。間欠噴霧の条件は、噴霧されたミストが気化する時間を想定して適宜設定され、例えば３分間噴霧したあと３分間停止し、再び噴霧するという間欠噴霧が節電装置１１の運転中に繰り返して行われるように設定される。
【００４０】
前記降雨センサ２６が降雨を検知し、又は空気調和機の制御部から駆動信号が入力されない場合には、前記ポンプ２２は駆動せず噴霧はなされない。また、圧力センサ２５が給水制御部１２から送り出される水の圧力の異常を検知したり、別の適宜手段がポンプ２２の過熱や漏電、停電等を検知したりした場合に、ポンプを停止し、噴霧を停止するように設定される。
【００４１】
このような給水制御部１２は、前記室外機７１とは別の位置に設けられている。別の位置とは、室外機７１に直接接触しない離れた位置である。
【００４２】
前記導水管１４は、図１に示したように、前記室外機７１の熱交換器面７２に沿って延設される。延設する高さは、例えば熱交換器面７２の上部近傍であるとよい。
【００４３】
導水管１４は複数に適宜枝分かれした状態に延設され、複数の室外機７１が設置される場合でも、すべての室外機７１の熱交換器面７２に沿って効率よく配管ができる。具体的には、導水管１４は、室外機７１の熱交換器面７２のある側に沿って延び、複数の室外機７１を囲み、又は室外機７１同士の間に延び、比較的離れた場所に導水管１４を延ばす場合には、室外機７１同士の間における熱交換器面７２のある側に延びる。このようにして重複した配管を避けて、効率のよい配管を行う。
【００４４】
このような配管を行うべく、前記導水管１４は、図３に示したように、少なくとも真っ直ぐに延びる直管４１と、該直管４１を接続する適宜形状の継手４２と、前記直管４１の端末を閉塞するエンドキャップ４３で構成される。前記継手４２としては、直管４１を三方に接続するＴ字形継手４２ａや、直管４１をＬ字形に接続するＬ字形継手４２ｂや、接属する直管４１の角度を曲げる湾曲継手４２ｃなど、適宜の継手４２が用いられる。
【００４５】
導水管１４は、前記室外機７１の近傍の構造物７３（図４参照）や前記室外機７１（図５参照）に対して導水管１４を支持する導水管支持具５１で支持される。導水管支持具５１は、前記室外機７１の近傍の構造物７３又は前記室外機７１に対して、少なくとも上下又は前後の位置を調節可能にする位置調節手段５２を有する。
【００４６】
まず、図４を用いて室外機７１の近傍７１ａの構造物７３に固定する導水管支持具５１について説明する。室外機７１を備える位置または室外機７１が存在する位置の近傍に、導水管１４を沿わせる部位となり得る横架材や室外機を支持するラック等の構造物７３がある場合には、その構造物７３に取り付け可能な適宜の導水管支持具５１を用いる。
【００４７】
なお、図４中、７１ａは熱交換器である。
【００４８】
この導水管支持具５１は、専用のものを製造するほか、既存の適宜の金具を用いたり、それらを組み合わせたりしても得られる。
【００４９】
図４に示した導水管支持具５１は、固定対象たる構造物７３がＨ鋼で、導水管支持具５１がＨ鋼に固定可能な吊りボルト支持具５３と、導水管１４の直管４１部分を止める断面略Ｃ字状の保持金具５４と、これら吊りボルト支持具５３と保持金具５４を上下及び前後に相対移動可能にする前記位置調節手段５２を介して連結する連結金具５５で構成した例である。
【００５０】
前記吊りボルト支持具５３は、側面視略「つ」字状をなす本体５３ａと、この本体５３ａの下の片に固定されるボルトナット５３ｂと、吊りボルト支持具５３をＨ鋼の一方の下片に挟むように固定する固定ボルト５３ｃを有する。
【００５１】
前記保持金具５４は、両端部に締め付け片５４ａを有し、この締め付け片５４ａをボルトナット５４ｂで締め付けて導水管１４の直管４１部分を固定する。
【００５２】
前記連結金具５５は、吊りボルト支持具５３の下片に固定される水平片５５ａと、この水平片５５ａの先端から下に垂設された垂直片５５ｂを有し、水平片５５ａと垂直片５５ｂには、前記ボルトナット５３ｂ，５４ｂのボルトが移動可能な長穴５５ｃ，５５ｄが形成されている。
【００５３】
このような構成の導水管支持具５１では、長穴５５ｃ，５５ｄ内でのボルトの位置を必要に応じて移動させることによって、導水管１４を支持する拠り所である構造物７３の位置にかかわりなく、導水管１４の位置を上下及び前後に移動させて、室外機７１の熱交換器面７２に対する位置を適宜調節できる。前記長穴５５ｃ，５５ｄと前記ボルトナット５３ｂ，５４ｂが、前記位置調節手段５２を構成している。
【００５４】
図５に示した導水管支持具５１は、室外機７１の外側面に固定される本体金具５６と、この本体金具５６に対して移動可能に取り付けられる補助金具５７と、この補助金具に導水管４１の直管４１部分を保持するためのＵボルト５８を有する。
【００５５】
前記本体金具５６は、帯状の金属板からなり、側面視台形をなす閉ループ状であり、直角をなす水平片５６ａと垂直片５６ｂを有している。垂直片５６ｂが、室外機７１の外側面に固定される部分であり、固定用のボルト５６ｃが保持される。
【００５６】
前記補助金具５７は、両側縁が下に折り曲げられた正面視略凹字状に形成され、本体金具５６の上面の水平片５６ａの上に、水平片５６ａの長手方向（前後方向）に移動可能に取り付けられる。つまり、水平片５６ａには長手方向に長い長穴５６ｄが形成され、補助金具５７の一端部には、長穴５６ｄに挿入されるボルトを有するボルトナット５７ａが保持されている。
【００５７】
補助金具５７の他端部は、導水管１４の直管４１部分を保持する部分であり、導水管１４を上から押さえ込むように保持する前記Ｕボルト５８の両端部を挿通する保持穴５７ｂを有している。
【００５８】
このような構成の導水管支持具５１では、本体金具５６に対して補助金具５７を前後方向に移動すれば、室外機７１の熱交換器面７２に対する導水管１４の位置を前後に適宜調節できる。また、導水管１４の上下方向の高さは、本体金具５６を固定する位置の設定で調節できる。前記長穴５６ｄと前記ボルトナット５７ａが、前記位置調節手段５２を構成している。
【００５９】
このようにして配設される導水管１４の熱交換器面７２に対応する部位に、前記噴霧ノズル１３が設けられる。噴霧ノズル１３には、適宜のノズルが使用できるが、例えば低圧（例えば０．２５Ｍｐａ程度や０．１５Ｍｐａ程度など、１Ｍｐａ以下、）での噴霧が可能で、少水量（例えば、０．０９Ｌ／ｍｉｎ程度など、０．１Ｌ／ｍｉｎ以下）であって、より微細なミストを噴霧できるものを用いるとよい。
【００６０】
噴霧のノズル１３の取り付けは、図３に示したように、前記継手４２や直管４１の一端に設けられる。噴霧ノズル１３の個数や配置は適宜設定される。
【００６１】
図３の図示と重複する部分もあるが、噴霧ノズル１３の取り付け方の若干の例を説明する。
【００６２】
図６は、直管４１同士を一直線上に接続するＴ形継手４２ａに噴霧ノズル１３を取り付けた例である。つまり、熱交換器面７２に沿って水平に延設された導水管１４における噴霧ノズル１３を設ける部位に対応する直線部分１４ａにＴ字形継手４２ａを固定して、このＴ字形継手４２ａの余った口に噴霧ノズル１３が固定されている。
【００６３】
図示例のＴ字形継手４２ａでは、噴霧ノズル１３が熱交換器面７２に対して斜め上から噴霧できるように接続した例を示したが、斜め下から、又は正面から噴霧できるようにしてもよい。噴霧角度は継手４２の選択によって適宜設定できる。また、噴霧ノズル１３から熱交換器面７２までの距離は、噴霧ノズル１３の角度や性能等の条件に基づいて、所望の噴霧が行えるように適宜設定される。
【００６４】
図７は、直管４１の一端に噴霧ノズル１３を設けた例である。すなわち、水平に延設された導水管１４における噴霧ノズル１３を設ける部位の上方の直線部分１４ａに、Ｔ字形継手４２ａを介して下に延びる直管４１を接続し、この直管４１の先端に、角度を鈍角に曲げる湾曲継手４２ｃを接続し、この湾曲継手４２ｃの先に短い直管４１を接続して、この直管４１に噴霧ノズル１３を備えている。
【００６５】
湾曲継手４２ｃを介して噴霧ノズル１３を備えているので、噴霧ノズル１３は熱交換器面７２に対して斜め上から噴霧できる。水平に延設される導水管４１が熱交換器面７２の上部近傍の高さに配設できない場合や、室外機７１が複数段重なっている場合などに有効である。
【００６６】
例えば、複数段重なった室外機７１の上の段の室外機７１における熱交換器面７２に噴霧を行う場合など、水平に延設された導水管１４における噴霧ノズル１３を設ける部位に対応する直線部分１４ａが噴霧ノズル１３を配置したい高さよりも低い場合には、図８に示したように、図７に示した例とは逆に、直管４１が上方に延びるように連結するとよい。噴霧は、図８に示したような斜め下からのほか、斜め上からでも、正面からでもよい。噴霧角度は継手４２の選択によって適宜設定できる。
【００６７】
図９は、室外機７１の熱交換器面７２が相対向しており、熱交換器面７２間の距離が短い場合の噴霧ノズル１３の取り付け例である。噴霧ノズル１３の取り付けの基本的な構造は図７に示した場合と同じで、直管４１を下に延ばして、その直管４１の先に湾曲継手４２ｃを介して短い直管４１を斜めに接続し、この短い直管４１に噴霧ノズル１３を備えている。
【００６８】
しかし、それぞれの熱交換器面７２に対して図７に示したようにして噴霧ノズル１３を備えると、水平に延設された導水管１４の直線部分１４ａが２本必要となって、部品点数が多くなる。
【００６９】
このため、図９に示したように、水平に延設される導水管１４の直線部分１４ａを１本として、この導水管１４の直線部分１４ａに、下に延びる直管４１を２本接続する。具体的には、水平に延設された導水管１４の直線部分１４ａを一方の室外機７１側であって、他方の室外機７１の熱交換器面７２に対する噴霧を行うのに適した位置になるように支持する。この水平に延設された導水管１４の直線部分１４ａにはＴ字形継手４２ａを介して、真っ直ぐ下に延びる直管４１を接続するとともに、同じくＴ字形継手４２ａを介して他方の室外機７１方向に向けて水平に延びる短い直管４１を接続する。この水平に延びる短い直管４１には、Ｌ字形継手４２ｂを介して、真っ直ぐ下に延びる直管４１を接続する。このようにして、水平に延設された１本の導水管１４の直線部分１４ａには、前記の下に延びる直管４１が２本接続される。
【００７０】
下に向けて平行に並ぶ２本の直管４１の下端には、遠いほうの室外機に向くように湾曲継手４２ｃを介して噴霧ノズル１３が設けられる。噴霧ノズル１３から噴霧されるミストは、交差するようにして適した距離で熱交換器面７２に作用する。
【００７１】
図４〜図９は一例であるが、導水管１４は室外機７１に対する適切な位置に無駄な重複なく適宜配設され、その導水管１４には噴霧ノズル１３が備えられる。
【００７２】
このように構成された節電装置１１は、空気調和機が駆動し、降雨センサ２６が降雨を検知していない状態において、給水制御部１２の制御部２７がプログラムに従って、あらかじめ設定された条件になるようにポンプ２２と電磁弁２４を駆動して、タンク２１内の水をくみ出す。くみ出された水は、水処理装置２３でカルシウム等が除去されたのち、導水管１４を通り、噴霧ノズル１３に到達し、噴霧ノズル１３から間欠噴霧される。水は噴霧によって微細なミストとなって、熱交換器７１ａのフィンを濡らして気化冷却する。同時に、ミストは煙のように室外機７１の熱交換器面７２の近傍で浮遊し、気化する。気化する時に、周囲の熱を奪って、冷却作用をする。これにより、熱交換器７１ａの熱交換効率が良くなって、空気調和機の節電が図れる。
【００７３】
しかも、水の供給を制御する給水制御部は室外機７１ごとに設けられるのではなく、室外機７１とは別の位置に設けられ、給水制御部１２から導水管１４を延ばして導水管１４を室外機７１の熱交換器面７２に沿わせ、この導水管１４に噴霧ノズル１３が設けられるという構成である。つまり、給水制御部１２は室外機７１の上面等に固定できない場合や室外機７１が込み入って存在している場合でも、容易に設置することができる。空気調和機のメーカや形式の違いにも柔軟に対応可能で、既設新設を問わずに設置できる。
【００７４】
また、導水管１４は、室外機７１の近傍の新設又は既設の適宜の横架材等の構造物７３や室外機７１を利用して、これらに対して導水管支持具５１で支持されるので、配管に必要な材料をより少なくできるうえに、室外機７１の存在する適宜の位置に簡単に延設することができる。
【００７５】
導水管１４は熱交換器面２２に沿わせられるので、多くの室外機７１が設置されている場所でも配管は容易で、必要な個所に無駄なく行える。そのうえ、導水管１４自体に噴霧ノズル１３を備えるので、構成を簡素にできる。このため、電力消費を抑制することが、簡単な施工で廉価に実現できる。
【００７６】
特に、導水管１４が、真っ直ぐに延びる直管４１と、この直管４１を接続する継手４２と、直管４１の端末を閉塞するエンドキャップ４３で構成されているので、各部材の組み合わせ次第で導水管１４を複数に枝分かれさせて、複数の室外機７１に向けて自由に配管できる。配管の自由度は、位置調節手段５２を有する導水管支持具５１によっていっそう高められる。
【００７７】
また、噴霧ノズル１３は熱交換器面７２に沿って延びる継手４２や直管４１に設けられるので、噴霧ノズル１３の設置は簡単に行える。
【００７８】
ポンプ２２には汎用ポンプを使用しているが、ポンプ２２の前後にはバイパス管２９ｈを備えているので、噴霧ノズル１３に必要な水量が少なくてもポンプ２２が送り出す流量を確保し、圧力を調節できる。つまり、通常、噴霧ノズル１３からの吐出量を少なくするために弁だけで調節すると、ポンプ２２が吐出する水量が少なくなってポンプ２２が故障するおそれがあるが、前記のように流量を確保できるのでこのような事態を生じることはない。このため、ポンプ２２として特殊な高圧ポンプでなはく、廉価な汎用ポンプを使用でき、この面でもコストの低減を図ることができる。
【００７９】
さらに、噴霧ノズル１３として低圧で噴霧可能なものを用いるので、ポンプ２２を省略して、水道に直結して構成することもできる。
【００８０】
運転については、降雨センサ２６を設けたり、空気調和機からの運転信号を入力したりして、不要な時は噴霧を行わないようにするとともに、間欠噴霧するように構成しているので、噴霧のための消費電力や水量を抑えることができ、この点でもコストの低減を図れる。
【００８１】
水圧の異常や、漏電等の異常の発生時にはブレーカーが落ちるなどして即座に運転を停止するので、安全性も得られる。通常、室外機は管理者から離れた位置にあるので、異常の事実を無線通信により、管理者あてに通報するように構成すると、迅速に対応できるのでよい。
【００８２】
この発明の構成と、前記一形態の構成との対応において、  
この発明の位置調節手段は、前記ボルトナット５３ｂ，５４ｂと長穴５５ｃ，５５ｄ、前記ボルトナット５７ａ，長穴５６ｄに対応するも、  
この発明は前記の構成のみに限定されるものではなく、その他の構成を採用することもできる。
【００８３】
例えば、給水制御部を構成する貯水槽２１とポンプ２２と水処理装置２３と電磁弁２４などを、一つの筐体に収容して構成することもできる。
【００８４】
また、送出される水の圧力を計測する圧力センサ２５を省略してもよい。
【符号の説明】
【００８５】
１１…空気調和機の節電装置
１２…給水制御部
１３…噴霧ノズル
１４…導水管
２１…貯水槽
２２…ポンプ
２４…電磁弁
２７…制御部
２９ｈ…バイパス管
４１…直管
４２…継手
４３…エンドキャップ
５１…導水管支持具
５２…位置調節手段
５３ｂ，５４ｂ…ボルトナット
５５ｃ，５５ｄ…長穴
５６ｄ…長穴
５７ａ…ボルトナット
７１…室外機
７２…熱交換器面
７３…構造物
【図１】
2014031926.tif 000003
【図２】
2014031926.tif 000004
【図３】
2014031926.tif 000005
【図４】
2014031926.tif 000006
【図５】
2014031926.tif 000007
【図６】
2014031926.tif 000008
【図７】
2014031926.tif 000009
【図８】
2014031926.tif 000010
【図９】
2014031926.tif 000011